(57)【要約】【課題】ユーザが写真データをデジタル変換することなく、画像加工注文及び／またはプリント注文が可能である。【解決手段】通信ネットワーク注文システムは、通信ネットワーク１と、通信ネットワーク１に接続され、発注された画像加工注文及び／またはプリント注文の注文情報の受付、ユーザ認証及び注文管理を行う注文サーバ２と、通信ネットワーク１に接続され、画像加工注文及び／またはプリント注文の注文情報の一部の入力を行い前記注文サーバへ送信するユーザ端末３と、通信ネットワーク１に接続され、画像加工注文及び／またはプリント注文の注文情報の一部の入力後、注文情報の―部の残りの注文情報の入力を行い注文サーバへ送信し画像加工管理及び／またはプリント管理を行う注文管理者端末４とを有し、注文サーバ２は、注文情報の―部の入力受信から注文情報の―部の残りの注文情報が入力受信されるまで待機し、注文情報の―部の残りの注文情報が入力受信で注文情報の受付完了情報をユーザ端末３へ送信する。【選択図】図１
2004152195.tif 000002
【特許請求の範囲】
【請求項１】
通信ネットワークと、
前記通信ネットワークに接続され、発注された画像加工注文及び／またはプリント注文の注文情報の受付、ユーザ認証及び注文管理を行う注文サーバと、
前記通信ネットワークに接続され、前記画像加工注文及び／またはプリント注文の注文情報の一部の入力を行い前記注文サーバへ送信するユーザ端末と、
前記通信ネットワークに接続され、前記画像加工注文及び／またはプリント注文の注文情報の一部の入力後、前記注文情報の―部の残りの注文情報の入力を行い前記注文サーバへ送信し画像加工管理及び／またはプリント管理を行う注文管理者端末とを有し、
前記注文サーバは、前記注文情報の―部の入力受信から前記注文情報の―部の残りの注文情報が入力受信されるまで待機し、前記注文情報の―部の残りの注文情報が入力されると次の工程に移行することを特徴とする通信ネットワーク注文システム。
【請求項２】
前記注文情報の―部の入力受信で付される注文ＩＤで、前記注文情報の―部と前記注文情報の―部の残りの注文情報とを対応させることを特徴とする請求項１に記載の通信ネットワーク注文システム。
【請求項３】
前記注文情報の―部の残りの注文情報が、画像情報であることを特徴とする請求項１または請求項２に記載の通信ネットワーク注文システム。
【請求項４】
前記ユーザ端末は、前記注文情報の―部の入力後、前記注文サーバから注文ＩＤを受け取り、この注文ＩＤと前記注文情報の―部の残りの注文情報の注文指示画面表示を行なうことを特徴とする請求項１乃至請求項３のいずれか１項に記載の通信ネットワーク注文システム。
【請求項５】
前記注文指示画面表示の表示内容が、前記注文ＩＤとプリント郵送指示を含むことを特徴とする請求項４に記載の通信ネットワーク注文システム。
【請求項６】
前記注文指示画面表示の表示内容が、前記注文ＩＤとプリント郵送の宛名を含むことを特徴とする請求項４に記載の通信ネットワーク注文システム。
【請求項７】
前記注文指示画面表示の表示内容が、前記注文ＩＤとプリント郵送の宛名を含む封筒形状であることを特徴とする請求項４に記載の通信ネットワーク注文システム。
【請求項８】
前記ユーザ端末は、前記注文情報の―部の入力後、前記注文サーバから注文ＩＤを受け取り、この注文ＩＤと前記注文情報の―部の残りの注文情報の注文指示を電子メ−ルで前記ユーザ端末に送ることを特徴とする請求項１乃至請求項３のいずれか１項に記載の通信ネットワーク注文システム。
【請求項９】
前記次工程に移行する時に、前記ユーザ端末に注文受付完了の電子メ−ルを送ることを特徴とする請求項１乃至請求項８のいずれか１項に記載の通信ネットワーク注文システム。
【請求項１０】
発注された画像加工注文及び／またはプリント注文の注文情報の受付、ユーザ認証及び注文管理を行う注文サーバと、
前記画像加工注文及び／またはプリント注文の注文情報の一部の入力を行い前記注文サーバへ送信するユーザ端末と、
前記注文情報の―部の残りの注文情報の入力を行い前記注文サーバへ送信し画像加工管理及び／またはプリント管理を行う注文管理者端末と、
が通信ネットワークに接続され、
前記ユーザ端末は、ユーザＩＤを入力して前記注文サーバからユーザ認証を受け取り画像加工注文及び／またはプリント注文の注文情報の一部を前記注文サーバへ送信し、
前記注文サーバは、前記注文情報の一部を受け取り注文確認情報と注文ＩＤを前記ユーザ端末へ送信し、注文受付情報を前記注文管理者端末へ送信し、
前記注文管理者端末は、管理者ＩＤを入力して、前記注文情報の―部の残りの注文情報の入力を行い前記注文サーバへ送信し、
前記注文サーバは、前記注文情報の一部の受付から前記注文情報の―部の残りの注文情報が入力されるまで待機し、前記注文情報の―部の残りの注文情報の入力で次の工程へ移行することを特徴とする通信ネットワーク注文方法。
【請求項１１】
前記注文情報の―部の入力受信で付される注文ＩＤで、前記注文情報の―部と前記注文情報の―部の残りの注文情報とを対応させることを特徴とする請求項１０に記載の通信ネットワーク注文方法。
【請求項１２】
前記注文情報の―部の残りの注文情報が、画像情報であることを特徴とする請求項１０または請求項１１に記載の通信ネットワーク注文方法。
【請求項１３】
前記ユーザ端末は、前記注文情報の―部の入力後、前記注文サーバから注文ＩＤを受け取り、この注文ＩＤと前記注文情報の―部の残りの注文情報の注文指示画面表示を行なうことを特徴とする請求項１０乃至請求項１２のいずれか１項に記載の通信ネットワーク注文方法。
【請求項１４】
前記注文指示画面表示の表示内容が、前記注文ＩＤとプリント郵送指示を含むことを特徴とする請求項１３に記載の通信ネットワーク注文方法。
【請求項１５】
前記注文指示画面表示の表示内容が、前記注文ＩＤとプリント郵送の宛名を含むことを特徴とする請求項１３に記載の通信ネットワーク注文方法。
【請求項１６】
前記注文指示画面表示の表示内容が、前記注文ＩＤとプリント郵送の宛名を含む封筒形状であることを特徴とする請求項１３に記載の通信ネットワーク注文方法。
【請求項１７】
前記ユーザ端末は、前記注文情報の―部の入力後、前記注文サーバから注文ＩＤを受け取り、この注文ＩＤと前記注文情報の―部の残りの注文情報の注文指示を電子メ−ルで前記ユーザ端末に送ることを特徴とする請求項１０乃至請求項１２のいずれか１項に記載の通信ネットワーク注文方法。
【請求項１８】
前記次工程に移行する時に、前記ユーザ端末に注文受付完了の電子メ−ルを送ることを特徴とする請求項１０乃至請求項１７のいずれか１項に記載の通信ネットワーク注文方法。
【発明の詳細な説明】
【０００１】
【発明の属する技術分野】
この発明は、画像を画像加工するサービスをインターネットなどの通信ネットワークを介してユーザ（顧客）に提供する通信ネットワーク注文システム及び注文方法に関する。
【０００２】
【従来の技術】
近年、デジタルカメラや家庭用デジタルプリンタは、画像処理技術の向上により、めざましい勢いで普及している。それに伴い、使用しているユーザもデジタル画像に対する意識も高まり、インターネットのホームべージ作成やデジタルプリントなど様々な用途で使われてきている。一方、画像プリントサービスを行う出力センターやミニラボ（小規模現像所）や集中処理を行う大ラボなども当然、デジタル画像データを取り扱うサービスが増えてきており、そのサービスバリエーションは多岐に渡る。
【０００３】
写真に関するサービスを顧客に提供する方法として、大ラボや出力センターにスキャナやプリンターを配置し、顧客が撮影した写真画像を画像サーバに蓄積し、顧客が画像サーバにインターネットを介し、アクセスして写真の焼き増し注文や画像のアップロード、ダウンロードなどの各種サービスを提供するネットワークビジネスが提案されている（例えば特許文献１）。このネットワークビジネスの利点として、自宅に居ながらにして注文ができ、デジタル画像ならではのサービスが受けられる為、エンドユーザにとってはメリットが大きく、今後伸びていくサービスであろうと予測される。
【０００４】
【特許文献１】
特開２００１−３４６０２８号公報（第１〜第７頁、図１、図２）
【０００５】
【発明が解決しようとする課題】
このように、デジタルカメラの高性能化、低価格化により写真画像をデジタルデータとして扱うユーザが急激に増加している。また、フィルムカメラで撮影した写真をデジタルデータに変換するサービスも行われており、フィルムを現像した後、スキャナ等で読み取り、読み取った画像データをＣＤ−Ｒ等の情報記録媒体に書き込んでユーザに提供するサービスも行われている。このような、デジタルデータは家庭やオフィスにおいてインクジェットプリンタ等のプリンタで出力される他、写真店に持ち込まれ、プリントされる。
【０００６】
また、最近はＡＤＳＬ等のブロードバンドが急速に普及し、インターネットでのプリント注文も―般的になりつつある。インターネット注文ではパソコンがあればいつでもどこでも注文でき、コンビニ等の店で受け取ったり自宅等への配送もでき、写真店の閉店時問を気にする必要がないため、非常に便利である。
【０００７】
―方、画像がデジタルデータになるとその画像の一部不要部分を削除したり、赤目を修正したり、色を変えたりという修正も容易になり、そのようなサービスをインターネットで提供するサイトも出現している。更には、画像を加工してポストカードや名刺等にデザインする画像加工デザインサービスも盛んになってきている。
【０００８】
しかしながら、これらのサービスをインターネットで注文しようとするとデジデジタル画像もっていることが前提であり、フィルムユーザは前記のような写真データをデジタル変換するサービスを受けた後、注文する必要があった。
【０００９】
この発明は、このような課題に鑑みてなされたのものであって、ユーザが写真データをデジタル変換することなく、画像加工注文及び／またはプリント注文が可能な通信ネットワーク注文システム及び注文方法を提供することを目的としている。
【００１０】
【課題を解決するための手段】
前記課題を解決し、かつ目的を達成するために、この発明は、以下のように構成した。
【００１１】
請求項１に記載の発明は、通信ネットワークと、
前記通信ネットワークに接続され、発注された画像加工注文及び／またはプリント注文の注文情報の受付、ユーザ認証及び注文管理を行う注文サーバと、
前記通信ネットワークに接続され、前記画像加工注文及び／またはプリント注文の注文情報の一部の入力を行い前記注文サーバへ送信するユーザ端末と、
前記通信ネットワークに接続され、前記画像加工注文及び／またはプリント注文の注文情報の一部の入力後、前記注文情報の―部の残りの注文情報の入力を行い前記注文サーバへ送信し画像加工管理及び／またはプリント管理を行う注文管理者端末とを有し、
前記注文サーバは、前記注文情報の―部の入力受信から前記注文情報の―部の残りの注文情報が入力受信されるまで待機し、前記注文情報の―部の残りの注文情報が入力されると次の工程に移行することを特徴とする通信ネットワーク注文システムである。
【００１２】
この請求項１に記載の発明によれば、注文サーバが、注文情報の―部の入力受信から注文情報の―部の残りの注文情報が入力受信されるまで待機しているから、この待機している間にユーザは例えば写真等の準備を行ない、この注文情報の―部の残りの注文情報が入力受信されると、次の工程に移行するから、ユーザが写真データをデジタル変換することなく、画像加工注文及び／またはプリント注文が可能である。
【００１３】
請求項２に記載の発明は、前記注文情報の―部の入力受信で付される注文ＩＤで、前記注文情報の―部と前記注文情報の―部の残りの注文情報とを対応させることを特徴とする請求項１に記載の通信ネットワーク注文システムである。
【００１４】
この請求項２に記載の発明によれば、注文ＩＤで、確実に注文情報の―部と注文情報の―部の残りの注文情報とを対応させることができる。
【００１５】
請求項３に記載の発明は、前記注文情報の―部の残りの注文情報が、画像情報であることを特徴とする請求項１または請求項２に記載の通信ネットワーク注文システムである。
【００１６】
この請求項３に記載の発明によれば、注文情報の―部の残りの注文情報が、画像情報であり、ユーザが写真データをデジタル変換することなく、画像加工注文及び／またはプリント注文が可能である。
【００１７】
請求項４に記載の発明は、前記ユーザ端末は、前記注文情報の―部の入力後、前記注文サーバから注文ＩＤを受け取り、この注文ＩＤと前記注文情報の―部の残りの注文情報の注文指示画面表示を行なうことを特徴とする請求項１乃至請求項３のいずれか１項に記載の通信ネットワーク注文システムである。
【００１８】
この請求項４に記載の発明によれば、ユーザ端末で注文ＩＤと注文情報の―部の残りの注文情報の注文指示画面表示を行なうことで、ユーザは間違いなく注文情報の―部の残りの注文情報を注文管理者に送ることができる。
【００１９】
請求項５に記載の発明は、前記注文指示画面表示の表示内容が、前記注文ＩＤとプリント郵送指示を含むことを特徴とする請求項４に記載の通信ネットワーク注文システムである。
【００２０】
この請求項５に記載の発明によれば、注文ＩＤとプリント郵送指示を表示することで、ユーザは間違いなく注文情報の―部の残りの注文情報を注文管理者へ郵送することができる。
【００２１】
請求項６に記載の発明は、前記注文指示画面表示の表示内容が、前記注文ＩＤとプリント郵送の宛名を含むことを特徴とする請求項４に記載の通信ネットワーク注文システムである。
【００２２】
この請求項６に記載の発明によれば、注文ＩＤとプリント郵送の宛名を表示することで、ユーザは間違いなく注文情報の―部の残りの注文情報を注文管理者へ郵送することができる。
【００２３】
請求項７に記載の発明は、前記注文指示画面表示の表示内容が、前記注文ＩＤとプリント郵送の宛名を含む封筒形状であることを特徴とする請求項４に記載の通信ネットワーク注文システムである。
【００２４】
この請求項７に記載の発明によれば、注文ＩＤとプリント郵送の宛名を含む封筒形状を表示することで、ユーザは間違いなく注文情報の―部の残りの注文情報を注文管理者へ郵送することができる。
【００２５】
請求項８に記載の発明は、前記ユーザ端末は、前記注文情報の―部の入力後、前記注文サーバから注文ＩＤを受け取り、この注文ＩＤと前記注文情報の―部の残りの注文情報の注文指示を電子メ−ルで前記ユーザ端末に送ることを特徴とする請求項１乃至請求項３のいずれか１項に記載の通信ネットワーク注文システムである。
【００２６】
この請求項８に記載の発明によれば、注文ＩＤと注文情報の―部の残りの注文情報の注文指示を電子メ−ルでユーザ端末に送ることで、注文指示が確実でかつユーザ端末のメモリに保存され、ユーザは間違いなく注文情報の―部の残りの注文情報を注文管理者へ郵送することができる。
【００２７】
請求項９に記載の発明は、前記次工程に移行する時に、前記ユーザ端末に注文受付完了の電子メ−ルを送ることを特徴とする請求項１乃至請求項８のいずれか１項に記載の通信ネットワーク注文システムである。
【００２８】
この請求項９に記載の発明によれば、次工程に移行する時に、ユーザ端末に注文受付完了の電子メ−ルを送ることで、ユーザは簡単かつ確実に注文受付完了を確認することができる。
【００２９】
請求項１０に記載の発明は、発注された画像加工注文及び／またはプリント注文の注文情報の受付、ユーザ認証及び注文管理を行う注文サーバと、
前記画像加工注文及び／またはプリント注文の注文情報の一部の入力を行い前記注文サーバへ送信するユーザ端末と、
前記注文情報の―部の残りの注文情報の入力を行い前記注文サーバへ送信し画像加工管理及び／またはプリント管理を行う注文管理者端末と、
が通信ネットワークに接続され、
前記ユーザ端末は、ユーザＩＤを入力して前記注文サーバからユーザ認証を受け取り画像加工注文及び／またはプリント注文の注文情報の一部を前記注文サーバへ送信し、
前記注文サーバは、前記注文情報の一部を受け取り注文確認情報と注文ＩＤを前記ユーザ端末へ送信し、注文受付情報を前記注文管理者端末へ送信し、
前記注文管理者端末は、管理者ＩＤを入力して、前記注文情報の―部の残りの注文情報の入力を行い前記注文サーバへ送信し、
前記注文サーバは、前記注文情報の一部の受付から前記注文情報の―部の残りの注文情報が入力されるまで待機し、前記注文情報の―部の残りの注文情報の入力で次の工程へ移行することを特徴とする通信ネットワーク注文方法である。
【００３０】
この請求項１０に記載の発明によれば、注文サーバが、注文情報の―部の入力受信から注文情報の―部の残りの注文情報が入力受信されるまで待機しているから、この待機している間にユーザは例えば写真等の準備を行ない、この注文情報の―部の残りの注文情報が入力受信されると、次の工程に移行するから、ユーザが写真データをデジタル変換することなく、画像加工注文及び／またはプリント注文が可能である。
【００３１】
請求項１１に記載の発明は、前記注文情報の―部の入力受信で付される注文ＩＤで、前記注文情報の―部と前記注文情報の―部の残りの注文情報とを対応させることを特徴とする請求項１０に記載の通信ネットワーク注文方法である。
【００３２】
この請求項１１に記載の発明によれば、注文ＩＤで、確実に注文情報の―部と注文情報の―部の残りの注文情報とを対応させることができる。
【００３３】
請求項１２に記載の発明は、前記注文情報の―部の残りの注文情報が、画像情報であることを特徴とする請求項１０または請求項１１に記載の通信ネットワーク注文方法である。
【００３４】
この請求項１２に記載の発明によれば、注文情報の―部の残りの注文情報が、画像情報であり、ユーザが写真データをデジタル変換することなく、画像加工注文及び／またはプリント注文が可能である。
【００３５】
請求項１３に記載の発明は、前記ユーザ端末は、前記注文情報の―部の入力後、前記注文サーバから注文ＩＤを受け取り、この注文ＩＤと前記注文情報の―部の残りの注文情報の注文指示画面表示を行なうことを特徴とする請求項１０乃至請求項１２のいずれか１項に記載の通信ネットワーク注文方法である。
【００３６】
この請求項１３に記載の発明によれば、ユーザ端末で注文ＩＤと注文情報の―部の残りの注文情報の注文指示画面表示を行なうことで、ユーザは間違いなく注文情報の―部の残りの注文情報を注文管理者に送ることができる。
【００３７】
請求項１４に記載の発明は、前記注文指示画面表示の表示内容が、前記注文ＩＤとプリント郵送指示を含むことを特徴とする請求項１３に記載の通信ネットワーク注文方法である。
【００３８】
この請求項１４の発明によれば、注文ＩＤとプリント郵送指示を表示することで、ユーザは間違いなく注文情報の―部の残りの注文情報を注文管理者へ郵送することができる。
【００３９】
請求項１５に記載の発明は、前記注文指示画面表示の表示内容が、前記注文ＩＤとプリント郵送の宛名を含むことを特徴とする請求項１３に記載の通信ネットワーク注文方法である。
【００４０】
この請求項１５に記載の発明によれば、注文ＩＤとプリント郵送の宛名を表示することで、ユーザは間違いなく注文情報の―部の残りの注文情報を注文管理者へ郵送することができる。
【００４１】
請求項１６に記載の発明は、前記注文指示画面表示の表示内容が、前記注文ＩＤとプリント郵送の宛名を含む封筒形状であることを特徴とする請求項１３に記載の通信ネットワーク注文方法である。
【００４２】
この請求項１６に記載の発明によれば、注文ＩＤとプリント郵送の宛名を含む封筒形状を表示することで、ユーザは間違いなく注文情報の―部の残りの注文情報を注文管理者へ郵送することができる。
【００４３】
請求項１７に記載の発明は、前記ユーザ端末は、前記注文情報の―部の入力後、前記注文サーバから注文ＩＤを受け取り、この注文ＩＤと前記注文情報の―部の残りの注文情報の注文指示を電子メ−ルで前記ユーザ端末に送ることを特徴とする請求項１０乃至請求項１２のいずれか１項に記載の通信ネットワーク注文方法である。
【００４４】
この請求項１７に記載の発明によれば、注文ＩＤと注文情報の―部の残りの注文情報の注文指示を電子メ−ルでユーザ端末に送ることで、注文指示が確実でかつユーザ端末のメモリに保存され、ユーザは間違いなく注文情報の―部の残りの注文情報を注文管理者へ郵送することができる。
【００４５】
請求項１８に記載の発明は、前記次工程に移行する時に、前記ユーザ端末に注文受付完了の電子メ−ルを送ることを特徴とする請求項１０乃至請求項１７のいずれか１項に記載の通信ネットワーク注文方法である。
【００４６】
この請求項１８に記載の発明によれば、次工程に移行する時に、ユーザ端末に注文受付完了の電子メ−ルを送ることで、ユーザは簡単かつ確実に注文受付完了を確認することができる。
【００４７】
【発明の実施の形態】
以下、この発明の通信ネットワーク注文システム及び注文方法の実施の形態を図面に基づいて説明するが、この発明は、この実施の形態に限定されない。
【００４８】
図１は通信ネットワーク注文システムを示す図である。図１において、通信ネットワーク１に、注文サーバ２、ユーザ端末３、注文管理者端末４が接続され、それぞれ通信ネットワーク１を介して通信可能となっている。
【００４９】
通信ネットワークとは、コンピュータ・システム、端未、データ通信設備を相互に接続したものをいう。接続は専用回線、公衆回線のような有線で接続されていても良いし、通信衛星などを通じて無線で接続されていてもよいし、それらの複合形態で接続されていても良い。いわゆるインターネットなどもネットワークに含まれる。
【００５０】
注文サーバ２とは、通信ネットワーク１を介し、ユーザが注文の受付、画像閲覧、画像保管、顧客情報管理など、ネットワーク画像サービスを提供可能な機能を有するサービスのことをいう。
【００５１】
注文サーバ２と注文管理者端末４は、店舗に配置され、注文サーバ２は画像形成装置であるプリンタ５に接続されている。
【００５２】
店舗とは、画像加工注文に基づき画像を画像加工出来る画像形成装置を備えた、例えばラボのようなものを言うがこれに限られない。画像加工は、顧客が撮影した、現像済み又は未現像のフィルムなどの画像をデジタル画像データに変換した上で、係る画像データに基づき行われる。画像形成装置とは、デジタル画像データを作成する機能を有する装置のことをさし、例えば、画像データを処理する機能を有する装置や画像データを記録媒体に書き込む装置、または画像データを出力できる装置のことをいう。
【００５３】
注文サーバ２は、発注された画像加工注文及び／またはプリント注文の注文情報の受付、ユーザ認証及び注文管理を行う。ユーザ端末３は、画像加工注文及び／またはプリント注文の注文情報の一部の入力を行い、注文サーバ２へ送信する。注文管理者端末４は、画像加工注文及び／またはプリント注文の注文情報の一部の入力後、注文情報の―部の残りの注文情報の入力を行い注文サーバへ送信し画像加工管理及び／またはプリント管理を行う。
【００５４】
注文サーバ２は、ユーザ端末３からの注文情報の―部の入力受信から注文管理者端末４からの注文情報の―部の残りの注文情報が入力受信されるまで待機し、注文情報の―部の残りの注文情報が入力受信で次の工程に移行する。
【００５５】
次に、図２乃至図５は通信ネットワーク注文方法を実行するフローチャートである。図２はユーザ端末側のフローチャート、図３は注文管理者端末側のフローチャート、図４は注文サーバ側のフローチャート、図５はユーザ端末側、注文管理者端末側、注文サーバ側間の情報の授受を示す図である。
【００５６】
ここでユーザが、例えば自宅近くのラボに、図６に示すようなポストカード１０のごとき被写体画像１１とテンプレート画像１２との合成画像に係るプリント注文を依頼しようとする。また、ポストカード１０には、住所、氏名等の文字情報１３が記録される。
【００５７】
かかる場合、ユーザがユーザ端末３にインストールされたソフトウエアを実行することにより、図２の各ステップが開始される。
【００５８】
このユーザ側のフローを図２及び図５に基づいて説明する。
【００５９】
ステップＳ１０１において、ユーザ端末３のブラウザソフトを立ち上げる。
【００６０】
ステップＳ１０２において、画像加工・プリント注文サイトにアクセスする。
【００６１】
ステップＳ１０３において、ユーザ端末３からユーザＩＤを入力して注文サーバ２へ送り、注文サーバ２では予め登録されたユーザＩＤと照合して個人のユーザ認証を行なう。
【００６２】
ステップＳ１０４において、注文サーバ２からのユーザ認証を受け取り画像加工注文及び／またはプリント注文の注文情報の一部を入力して注文サーバ２へ送信する。画像加工注文とは、例えば写真プリントの画像のどの部分をどのように修正、加工するか等の注文である。修正には、ゴミ汚れ消し、不要物削除、赤目修正、切り抜き、ボカシ、シャープ、変色等がある。加工には、どの部分にどのようなデザインを施すか等のデザイン加工、また住所、氏名、タイトル等の文字入れ等がある。プリント注文とは、例えばプリント枚数、プリントサイズ、プリント面質、はがき種等である。
【００６３】
ステップＳ１０５において、注文終了し、注文サーバ２では発注された画像加工注文及び／またはプリント注文の注文情報の受付が行なわれる。
【００６４】
ステップＳ１０６において、注文サーバ２から注文確認メールが配信され、注文サーバ２から注文管理者端末４へ注文受付メールが送られ、図７に示すように画面表示２０される。この注文受付メールの画面表示２０では、注文番号２０ａ、写真在中指示２０ｂ、ラボ登録ＩＤ２０ｃの他に、ラボへの取次店の住所、電話番号、地図等２０ｄが表示され、さらに取次店への指示等２０ｅが表示される。さらに、締め切り表示２０ｆが行なわれ、この締め切り表示２０ｆとして、例えば「１２月１５日まで投函して下さい。」、「速達にてお願いします。」、「ＸＸ店舗にお持ち下さい。」等が行なわれる。
【００６５】
ステップＳ１０７において、ユーザ端末３に接続されたプリンタ６で注文確認メールを印刷する。
【００６６】
ステップＳ１０８において、図８に示すように、写真プリント３０と注文確認メールの印刷物３１を同封してラボ等の取次店に送付して注文管理者端末４から注文情報の―部の残りの注文情報である写真プリントの画像情報の入力を行うようにする。
【００６７】
このように、ユーザ端末３では、注文情報の―部の入力後、注文サーバ２から注文ＩＤを受け取り、この注文ＩＤと注文情報の―部の残りの注文情報の注文指示画面表示を行なうことで、ユーザは間違いなく注文情報の―部の残りの注文情報の写真プリント３０を注文管理者に送ることができる。
【００６８】
また、ステップＳ１０６からステップＳ１０８とは別にステップＳ１０９において、郵送宛名モデルを選択することができる。
【００６９】
ステップＳ１１０において、封書の画面表示及び／またはダウンロードする。この封書の画面表示は、例えば図９に示すように行なわれる。注文指示画面表示の表示内容が、注文ＩＤ２１ａとプリント郵送の宛名２１ｂを含む封筒形状２１であり、さらにユーザの名前２１ｃ、住所２１ｄ、写真在中指示２１ｅ、その他の指示事項２１ｆが表示される。また、切り取り枠２１ｇを表示し、切り取り枠２１ｇで切り取って封筒に貼って郵送するようにすることができる。このように、注文ＩＤ２１ａとプリント郵送の宛名２１ｂを含む封筒形状２１を表示することで、ユーザは間違いなく注文情報の―部の残りの注文情報の写真プリント３０を注文管理者へ郵送することができる。
【００７０】
ステップＳ１１１において、封書の印刷をプリンタ６で行なう。
【００７１】
ステップＳ１１２において、写真プリント３０を封書に入れて投函し、写真プリント３０を注文管理者へ郵送する。この場合、切り取り枠２１ｇで切り取って手持ちの封筒に貼って郵送することもできる。
【００７２】
このように、ステップＳ１０６、ステップＳ１１０において、注文指示画面表示の表示内容が、注文ＩＤとプリント郵送指示を含み、また注文ＩＤとプリント郵送の宛名を含むことで、ユーザは間違いなく注文情報の―部の残りの注文情報を注文管理者へ郵送することができる。
【００７３】
また、注文サーバ２は、図７または図９に示す内容の注文ＩＤと注文情報の―部の残りの注文情報の注文指示を電子メ−ルでユーザ端末３に送る。ここで、図９に示す封筒形状の図面を添付ファイルにして添付してもよい。注文ＩＤと注文情報の―部の残りの注文情報の注文指示を電子メ−ルでユーザ端末３に送ることで、注文指示が確実でかつユーザ端末３のメモリに保存され、ユーザは間違いなく注文情報の―部の残りの注文情報を注文管理者へ郵送することができる。
【００７４】
次に、注文管理者側のフローを図３及び図５に基づいて説明する。
【００７５】
ステップＳ２０１において、注文管理者端末４のブラウザソフトを立ち上げる。
【００７６】
ステップＳ２０２において、注文管理者画面へアクセスする。
【００７７】
ステップＳ２０３において、注文管理者端末４から注文管理者ＩＤを入力して注文サーバ２へ送り、注文サーバ２では予め登録された注文管理者ＩＤと照合して注文管理者認証を行なう。
【００７８】
ステップＳ２０４において、注文サーバ２からの注文管理者認証を受け取り、注文管理者画面を表示する。
【００７９】
ステップＳ２０５において、図２においてユーザから送られる郵便を受け取り、注文管理者端末４で注文ＩＤを入力する。注文サーバ２では、注文管理者端末４から入力された注文ＩＤをユーザ端末３で注文情報の―部の入力後に設定した注文ＩＤと照合して一致する場合注文ＩＤ認証を行なう。
【００８０】
ステップＳ２０６において、図２においてユーザから送られる郵便を受け取り、注文情報の―部の残りの注文情報の写真プリント３０画像情報を注文管理者端末４に接続したスキャナ７で読み取り、このスキャナ７で読み取ったスキャンデータを注文サーバ２へ送信する。
【００８１】
ステップＳ２０７において、注文サーバ２は、ユーザ端末３から注文情報の一部を受け取り、この注文情報の一部の受付から注文情報の―部の残りの注文情報が入力されるまで待機し、注文管理者端末４から注文情報の―部の残りの注文情報の入力で次の工程開始を指示して終了する。ここで、次の工程とは、▲１▼ユーザの注文に基づいてデザイナーの実際のデザイン作業、▲２▼印刷、▲３▼ユーザへの送付であり、注文情報の―部の残りの注文情報の入力で、次の工程のプロセスが開始される。
【００８２】
この次工程に移行する時に、ユーザ端末３に注文受付完了の電子メ−ルを送り、この電子メ−ルでユーザは簡単かつ確実に注文受付完了を確認することができる。
【００８３】
次に、注文サーバ側のフローを図４及び図５に基づいて説明する。図４（ａ）はユーザがアクセスした場合のフローチャートである。
【００８４】
ステップＳ３０１において、図２のステップＳ１０３でユーザ端末３からユーザＩＤが入力されると、注文サーバ２では予め登録されたユーザＩＤと照合して個人のユーザ認証を行なう。
【００８５】
ステップＳ３０２において、図２のステップＳ１０４で画像加工注文及び／またはプリント注文の注文情報の一部が注文サーバ２へ送信されると、プリント注文の注文情報が適切か否かのデータベースチェックを行ない登録する。注文サーバ２は、ステータス画面を注文中とし、注文管理者画面に注文情報を表示する。
【００８６】
ステップＳ３０３において、注文サーバ２から注文確認メールがユーザ端末３へ配信され、注文サーバ２から注文管理者端末４へ注文受付メールが送られる。
【００８７】
図４（ｂ）は注文管理者がアクセスした場合のフローチャートである。
【００８８】
ステップＳ４０１において、図３のステップＳ２０３で注文管理者端末４から注文管理者ＩＤが入力されると、注文サーバ２では予め登録された注文管理者ＩＤと照合して注文管理者認証を行なう。
【００８９】
ステップＳ４０２において、図３のステップＳ２０６で注文管理者端末４から注文情報の―部の残りの注文情報の写真プリント３０の画像情報を受け取り、注文サーバ２では送信画像を保存し、注文管理者端末４から注文情報の―部の注文ＩＤで注文情報の―部の残りの注文情報の写真プリント３０の画像情報とを結びつけてデータベース登録する。注文サーバ２は、ステータス画面を注文完了とする。
【００９０】
ステップＳ４０３において、注文管理者端末４から注文情報の―部の残りの注文情報の入力で注文完了情報をユーザ端末３へ送信して注文が完了する。
【００９１】
このように、注文サーバ２が、注文情報の―部の入力受信から注文情報の―部の残りの注文情報が入力受信されるまで待機しているから、この待機している間にユーザは例えば写真等の準備を行ない、この注文情報の―部の残りの注文情報が入力受信されると、注文情報の受付が完了し、注文情報完了情報をユーザ端末へ送信するから、ユーザが写真データをデジタル変換することなく、画像加工注文及び／またはプリント注文が可能である。
【００９２】
注文管理者は、注文完了によってユーザからの注文に応じた処理を行なって、画像出力装置で写真プリントを作成し、写真プリントをユーザに送る。この場合、写真プリントのデータを記録媒体に書き込み一緒に送ってもよい。
【００９３】
画像出力装置は、特に制限はないが、好ましくは銀塩写真感光材料を用いたデジタルプリンター、インクジェット方式のプリンター、昇華型プリンター、熱転写型プリンター、レーザープリンター、デジタルコピーなどがよい。特に高品質な画像が得られることから銀塩写真感光材料を用いたプリンターやインクジェットプリンターなどが好ましい。これらの前記装置は複数台接続されていても良いし、いずれか１つでも構わない。
【００９４】
【発明の効果】
前記したように、請求項１及び請求項１０に記載の発明では、注文サーバが、注文情報の―部の入力受信から注文情報の―部の残りの注文情報が入力受信されるまで待機しているから、この待機している間にユーザは例えば写真等の準備を行ない、この注文情報の―部の残りの注文情報が入力受信されると、次の工程に移行するから、ユーザが写真データをデジタル変換することなく、画像加工注文及び／またはプリント注文が可能である。
【００９５】
請求項２及び請求項１１に記載の発明では、注文ＩＤで、確実に注文情報の―部と注文情報の―部の残りの注文情報とを対応させることができる。
【００９６】
請求項３及び請求項１２に記載の発明では、注文情報の―部の残りの注文情報が、画像情報であり、ユーザが写真データをデジタル変換することなく、画像加工注文及び／またはプリント注文が可能である。
【００９７】
請求項４及び請求項１３に記載の発明では、ユーザ端末で注文ＩＤと注文情報の―部の残りの注文情報の注文指示画面表示を行なうことで、ユーザは間違いなく注文情報の―部の残りの注文情報を注文管理者に送ることができる。
【００９８】
請求項５及び請求項１４に記載の発明では、注文ＩＤとプリント郵送指示を表示することで、ユーザは間違いなく注文情報の―部の残りの注文情報を注文管理者へ郵送することができる。
【００９９】
請求項６及び請求項１５に記載の発明では、注文ＩＤとプリント郵送の宛名を表示することで、ユーザは間違いなく注文情報の―部の残りの注文情報を注文管理者へ郵送することができる。
【０１００】
請求項７及び請求項１６に記載の発明では、注文ＩＤとプリント郵送の宛名を含む封筒形状を表示することで、ユーザは間違いなく注文情報の―部の残りの注文情報を注文管理者へ郵送することができる。
【０１０１】
請求項８及び請求項１７に記載の発明では、注文ＩＤと注文情報の―部の残りの注文情報の注文指示を電子メ−ルでユーザ端末に送ることで、注文指示が確実でかつユーザ端末のメモリに保存され、ユーザは間違いなく注文情報の―部の残りの注文情報を注文管理者へ郵送することができる。
【０１０２】
請求項９及び請求項１８に記載の発明では、次工程に移行する時に、ユーザ端末に注文受付完了の電子メ−ルを送ることで、ユーザは簡単かつ確実に注文受付完了を確認することができる。
【図面の簡単な説明】
【図１】通信ネットワーク注文システムを示す図である。
【図２】ユーザ端末側のフローチャートである。
【図２】注文管理者端末側のフローチャートである。
【図４】注文サーバ側のフローチャートである。
【図５】ユーザ端末側、注文管理者端末側、注文サーバ側間の情報の授受を示す図である。
【図６】ポストカードの一例を示す図である。
【図７】注文受付メールの画面表示を示す図である。
【図８】写真プリントと注文確認メールの印刷物を同封する状態を示す図である。
【図９】注文ＩＤとプリント郵送の宛名を含む封筒形状の画面表示を示す図である。
【符号の説明】
１  通信ネットワーク
２  注文サーバ
３  ユーザ端末
４  注文管理者端末
【図１】
2004152195.tif 000003
【図２】
2004152195.tif 000004
【図３】
2004152195.tif 000005
【図４】
2004152195.tif 000006
【図５】
2004152195.tif 000007
【図６】
2004152195.tif 000008
【図７】
2004152195.tif 000009
【図８】
2004152195.tif 000010
【図９】
2004152195.tif 000011
【手続補正書】
【提出日】平成14年12月13日(2002.12.13)
【手続補正１】
【補正対象書類名】明細書
【補正対象項目名】図面の簡単な説明
【補正方法】変更
【補正の内容】
【図面の簡単な説明】
【図１】通信ネットワーク注文システムを示す図である。
【図２】ユーザ端末側のフローチャートである。
【図３】注文管理者端末側のフローチャートである。
【図４】注文サーバ側のフローチャートである。
【図５】ユーザ端末側、注文管理者端末側、注文サーバ側間の情報の授受を示す図である。
【図６】ポストカードの一例を示す図である。
【図７】注文受付メールの画面表示を示す図である。
【図８】写真プリントと注文確認メールの印刷物を同封する状態を示す図である。
【図９】注文ＩＤとプリント郵送の宛名を含む封筒形状の画面表示を示す図である。
【符号の説明】
１  通信ネットワーク
２  注文サーバ
３  ユーザ端末
４  注文管理者端末